(57)【要約】【課題】きめ細かな高さ調整が可能で、揺れにくい構造の昇降式指揮者台を提供する。【解決手段】指揮者が載る台板１を、対向するアームリンク機構２により床置部材３に対して昇降自在に支持し、各アームリンク機構２として、台板１及び床置部材３にそれぞれ一端が連結される上下の取付アーム４と上下の補助アーム５とを組み合わせたパンタグラフ式のものを用い、対向するアームリンク機構２間に渡したねじ軸７の回転に伴い、アームリンク機構２の上下の取付アーム４が拡開又は縮閉して、台板１が昇降するようにし、上下の取付アーム４が一定以下の角度に縮閉したとき、台板１及び床置部材３の一方から延びるロックシャフト１０が他方から延びるロック受具１１に挿入され、ロック受具１１に設けたサポートロック１２に抱持されるようにする。【選択図】図１
2008093013.tif 000002
【特許請求の範囲】
【請求項１】
指揮者が載る台板(1)を、対向するアームリンク機構(2)により床置部材(3)に対して昇降自在に支持し、各アームリンク機構(2)として、台板(1)及び床置部材(3)にそれぞれ一端が連結される上下の取付アーム(4)と上下の補助アーム(5)とを組み合わせたパンタグラフ式のものを用い、対向するアームリンク機構(2)間に渡したねじ軸(7)の回転に伴い、アームリンク機構(2)の上下の取付アーム(4)が拡開又は縮閉して、台板(1)が昇降するようにし、上下の取付アーム(4)が一定以下の角度に縮閉したとき、台板(1)及び床置部材(3)の一方から延びるロックシャフト(10)が他方から延びるロック受具(11)に挿入され、ロック受具(11)に設けたサポートロック(12)に抱持されるようにした昇降式指揮者台。
【発明の詳細な説明】
【技術分野】
【０００１】
この発明は、オーケストラの指揮者が載って指揮をする指揮者台であって、高さを変えられるようにしたものに関する。
【背景技術】
【０００２】
一般に、劇場のオーケストラピットに設置される指揮者台は、指揮者の身長や好みに応じて、高さを調整する必要がある。このため、劇場には、指揮者台の下方に敷く台枠を用意しておき、指揮者台を使用する際には、床に台枠を置いて、その上に指揮者台を積み重ねる等の方法により、高さを調整する場合が多い。
【発明の開示】
【発明が解決しようとする課題】
【０００３】
しかしながら、上記のような台枠による高さの調整では、きめ細かな高さの調整ができず、また、繊細な感性をもつ指揮者が演奏に集中できるようにするためには、揺れを極力排除する必要があり、簡易な交叉アーム式の昇降構造を採用することもできない。
【０００４】
そこで、この発明は、きめ細かな高さ調整が可能で、揺れにくい構造の昇降式指揮者台を提供することを課題とする。
【課題を解決するための手段】
【０００５】
上記課題を解決するため、この発明は、指揮者が載る台板を、対向するアームリンク機構により床置部材に対して昇降自在に支持し、各アームリンク機構として、台板及び床置部材にそれぞれ一端が連結される上下の取付アームと上下の補助アームとを組み合わせたパンタグラフ式のものを用い、対向するアームリンク機構間に渡したねじ軸の回転に伴い、アームリンク機構の上下の取付アームが拡開又は縮閉して、台板が昇降するようにし、上下の取付アームが一定以下の角度に縮閉したとき、台板及び床置部材の一方から延びるロックシャフトが他方から延びるロック受具に挿入され、ロック受具に設けたサポートロックに抱持されるようにしたのである。
【発明の効果】
【０００６】
この昇降式指揮者台では、ねじ軸を回転させることにより、対向するアームリンク機構の上下の取付アームを拡開又は縮閉させて、台板の高さをきめ細かに調整でき、上下の取付アームが一定角度を越えて拡開していると、取付アームが撓みにくく、上下の取付アームが一定以下の角度に縮閉すると、ロック受具に挿入されたロックシャフトがサポートロックにより抱持されるので、台板がいずれの高さに位置しても、荷重の変動に伴う台板の揺れが防止され、指揮者が演奏に集中することができる。
【発明を実施するための最良の形態】
【０００７】
以下、この発明の実施形態を添付図面に基づいて説明する。
【０００８】
図１乃至図４に示すように、この発明に係る指揮者台Ｓは、指揮者が載る台板１を、その前後左右に位置するアームリンク機構２により床置部材３に対して昇降自在に支持したものとされ、図６に示すように、劇場のオーケストラピットＰに設置される。
【０００９】
各アームリンク機構２は、台板１及び床置部材３にそれぞれ一端が連結される上下の取付アーム４と上下の補助アーム５とを組み合わせたパンタグラフ式のものとされ、左右のアームリンク機構２は、取付アーム４同士の連結部を内側として対称に配置されている。
【００１０】
前後のアームリンク機構２の上下の取付アーム４の中間部には、梁材が渡されて接合され、取付アーム４同士の連結部間には、保持部材６が軸支されている。
【００１１】
左右の対向するアームリンク機構２の保持部材６間には、その間隔を保持しつつ回転するねじ軸７がベルトで連動するように２本平行に渡されている。ねじ軸７には、左右端から中央部へ向けて互いに逆方向となるねじが形成されている。
【００１２】
ねじ軸７には、前後のアームリンク機構２の取付アーム４同士の連結部間に渡されたスライダ８が螺合し、スライダ８は、対向するアームリンク機構２の保持部材６間に渡されたリニアガイド９に沿って左右方向に移動可能となっている。
【００１３】
台板１の四隅部分には、ロックシャフト１０が垂直下方へ向けて設けられ、床置部材３の四隅部分には、ロックシャフト１０に対向して、筒状のロック受具１１が垂直上方へ向けて設けられている。ロック受具１１の上部には、サポートロック１２が設けられている。
【００１４】
サポートロック１２は、皿ばね油圧シリンダであり、ロック受具１１に挿入されたロックシャフト１０を皿ばねの付勢力で抱持してロックし、油圧ホース１３を介して接続された油圧ポンプ１４から供給される油圧により、ロックが解除されるようになっている。
【００１５】
また、アームリンク機構２等の昇降機構は、台板１の昇降に応じて伸縮する蛇腹カバー１５に覆われて外部から見えないようになっており、台板１の後部には、使用時の安全確保のため、着脱式の手摺１６が設けられている。
【００１６】
上記のような指揮者台Ｓでは、図２に示すように、ソケットレンチを保持部材６から突出したねじ軸７の端部に係合させ、ねじ軸７を回転させることにより、図２乃至図４に示すように、対向するアームリンク機構２の上下の取付アーム４を拡開又は縮閉させ、指揮者の身長や好みに応じて、台板１の高さをきめ細かに調整できる。また、この調整は手動で行うので、電源も不要である。
【００１７】
ここで、図２に示すように、台板１が上限位置に達すると、一方のアームリンク機構２の保持部材６とスライダ８のストッパ６ａ，８ａが当接し、図４に示すように、台板１が下限位置に達すると、対向するアームリンク機構２のスライダ８のストッパ８ｂ同士が当接することにより、調整範囲が制限される。
【００１８】
また、図２に示すように、台板１が高い位置にあり、上下の取付アーム４が一定角度を越えて拡開した状態では、ロックシャフト１０はロック受具１１から抜けているが、このとき、取付アーム４は、主として軸方向に荷重を受け止めるので、撓みが生じにくく、指揮者の動作に伴い荷重が変動しても、台板１はほとんど揺れることがない。
【００１９】
一方、図３及び図４に示すように、台板１が中間の所定高さより低い位置にあり、上下の取付アーム４が一定以下の角度に縮閉した状態では、ロックシャフト１０がロック受具１１に挿入され、サポートロック１２により抱持されるので、取付アーム４の撓みが防止され、指揮者の動作に伴い荷重が変動しても、台板１はほとんど揺れることがない。
【００２０】
このように、台板１がいずれの高さに位置しても、荷重の変動に伴う台板１の揺れが防止されるので、指揮者が演奏に集中することができる。
【００２１】
なお、ロックシャフト１０がロック受具１１に挿入される範囲に及んで台板１を昇降させる場合には、図２に示すように、指揮者台Ｓと油圧ポンプ１４の油圧ホース１３のカプラ同士を接続して、油圧ポンプ１４を作動させ、サポートロック１２のロックが解除された状態としておく必要がある。
【００２２】
また、この指揮者台Ｓを移動させる際には、図５（ａ）に示すように、ハンドパレットトラック１７のフォークを床置部材３の下方に差し込み、図５（ｂ）に示すように、フォークを上昇させ、指揮者台Ｓを持ち上げて簡単に移動させることができる。
【図面の簡単な説明】
【００２３】
【図１】この発明の実施形態に係る指揮者台の概略を示す斜視図
【図２】同上の台板が上昇位置にある状態を示す正面図
【図３】同上の台板が中間位置にある状態を示す正面図
【図４】同上の台板が下降位置にある状態を示す正面図
【図５】同上の指揮者台の移動過程を示す概略側面図
【図６】指揮者台の設置態様を示す概略側面図
【符号の説明】
【００２４】
１  台板
２  アームリンク機構
３  床置部材
４  取付アーム
５  補助アーム
６  保持部材
７  ねじ軸
８  スライダ
９  リニアガイド
１０  ロックシャフト
１１  ロック受具
１２  サポートロック
１３  油圧ホース
１４  油圧ポンプ
１５  蛇腹カバー
１６  手摺
１７  ハンドパレットトラック
【図１】
2008093013.tif 000003
【図２】
2008093013.tif 000004
【図３】
2008093013.tif 000005
【図４】
2008093013.tif 000006
【図５】
2008093013.tif 000007
【図６】
2008093013.tif 000008